(57)【特許請求の範囲】
【請求項１】
補助熱源によって生成され、蓄熱槽に貯留された温水を、上水と混合可能な給湯接続ユニットを介して、給湯器に送出するようにした給湯システムの運転状態表示装置であって、
前記給湯システムの運転状態を表示する表示手段と、
上水の温度を検出する上水温度検出手段と、
前記給湯接続ユニットから送出される温水の温度を検出する温水温度検出手段と、
前記給湯器及び前記給湯接続ユニットに対して設定された給湯設定温度、前記上水温度検出手段によって検出された上水温度及び前記温水温度検出手段によって検出された温水温度に基づいて、前記補助熱源によって生成された温水による設定温度到達率を算出し、算出された設定温度到達率を所定の表示形式で前記表示手段に表示させる表示制御手段とを備えた給湯システムの運転状態表示装置。
【請求項２】
前記表示制御手段は、前記給湯器の運転スイッチがＯＮされているか否かに拘わらず、給湯を開始した時点で前記設定温度到達率を前記表示手段に表示させるようにした請求項１に記載の給湯システムの運転状態表示装置。
【請求項３】
補助熱源によって生成され、蓄熱槽に貯留された温水を、上水と混合可能な給湯接続ユニットを介して、給湯器に送出するようにした給湯システムの運転状態表示装置であって、
前記給湯システムの運転状態を表示する表示手段と、
上水の温度を検出する上水温度検出手段と、
前記蓄熱槽内の貯湯温度を検出する貯湯温度検出手段と、
前記給湯器及び前記給湯接続ユニットに対して設定された給湯設定温度、前記上水温度検出手段によって検出された上水温度及び前記貯湯温度検出手段によって検出された貯湯温度に基づいて、前記給湯設定温度に対する前記蓄熱槽内に貯留された温水の沸上り率を算出し、算出された沸上り率を所定の表示形式で前記表示手段に表示させる表示制御手段とを備えた給湯システムの運転状態表示装置。
【請求項４】
前記表示制御手段は、給湯を行っていないときに、前記沸上り率を前記表示手段に表示させるようにした請求項３に記載の給湯システムの運転状態表示装置。
【請求項５】
前記給湯システムが前記給湯器を使用せずに給湯を行っているときは、前記表示制御手段が、その旨を所定の表示形式で前記表示手段に表示させるようにした請求項１、２、３または４に記載の給湯システムの運転状態表示装置。
【請求項６】
前記給湯設定温度が所定温度以上に設定されているときは、前記表示制御手段が、給湯温度が高温である旨を所定の表示形式で前記表示手段に表示させるようにした請求項１、２、３、４または５に記載の給湯システムの運転状態表示装置。
【請求項７】
前記給湯器の運転スイッチがＯＮされていない状態で、給湯を開始したときは、前記表示制御手段が、その時点で設定されている給湯設定温度を前記表示手段に表示させるようにした請求項１、２、３、４、５または６に記載の給湯システムの運転状態表示装置。
【請求項８】
給湯流量を検出する流量検出手段を備えており、
前記表示制御手段は、前記上水温度検出手段によって検出された上水温度、前記温水温度検出手段によって検出された温水温度及び前記給湯量検出手段によって検出された給湯流量に基づいて、前記蓄熱槽に貯留された温水の利用熱量を算出すると共にこれを一定期間積算し、この積算利用熱量を前記表示手段に表示させるようにした請求項１、２、３、４、５、６または７に記載の給湯システムの運転状態表示装置。
【請求項９】
給湯流量を検出する流量検出手段を備えており、
前記表示制御手段は、前記給湯器が単位熱量当りに消費する燃料単価を記憶する記憶部を備えており、
前記表示制御手段は、前記上水温度検出手段によって検出された上水温度、前記温水温度検出手段によって検出された温水温度及び前記流量検出手段によって検出された給湯流量に基づいて、前記蓄熱槽に貯留された温水の利用熱量を算出すると共にこれを一定期間積算し、この積算利用熱量と、前記記憶部に記憶されている燃料単価とに基づいて、前記蓄熱槽に貯留された温水を利用することによって得られた省エネルギ料金を算出し、これを前記表示手段に表示させるようにした請求項１、２、３、４、５、６、７または８に記載の給湯システムの運転状態表示装置。
【請求項１０】
前記表示手段として、前記給湯器を遠隔操作する操作リモコンの表示部を使用した請求項１、２、３、４、５、６、７、８または９に記載の給湯システムの運転状態表示装置。
【請求項１１】
前記表示制御手段は、前記補助熱源を利用可能な給湯システムである旨を、所定の表示形式で前記表示手段に表示させるようにした請求項１、２、３、４、５、６、７、８、９または１０に記載の給湯システムの運転状態表示装置。
【発明の詳細な説明】
【０００１】
【発明の属する技術分野】
この発明は、太陽熱等の補助熱源を利用した給湯システムの運転状態を表示する運転状態表示装置、特に、補助熱源の貢献度を的確に把握することができる給湯システムの運転状態表示装置に関する。
【０００２】
【従来の技術及び発明が解決しようとする課題】
補助熱源を利用した給湯システムとしては、例えば、太陽熱を利用して温水を生成する太陽熱利用温水器と給湯器とを組み合わせた給湯システムが従来から一般的に知られている。
【０００３】
こういった、給湯システムでは、太陽熱を利用して生成された温水を貯留する蓄熱槽を備えている太陽熱利用温水器と給湯器とが、給湯接続ユニットを介して接続されており、給湯時には、太陽熱利用温水器の蓄熱槽に貯留された温水が給湯接続ユニットを介して給湯器に送出されるが、給湯接続ユニットは、蓄熱槽に貯留された温水を単に給湯器に送出するだけではなく、必要に応じて、蓄熱槽から送出される温水に上水を混合した状態で、給湯器に送出することができるように構成されている。
【０００４】
従って、給湯器に対して設定された給湯設定温度以上の温水が蓄熱槽に貯留されている場合は、給湯設定温度以上の温水が蓄熱槽から給湯接続ユニットに送出されるので、給湯接続ユニットでは、蓄熱槽から送出される給湯設定温度以上の温水と上水とを適宜混合することによって温水温度を給湯設定温度まで下げた状態で、給湯器に送出するようになっており、この場合は、給湯器のバーナーが全く燃焼することなく、給湯設定温度の温水が供給されることになる。
【０００５】
一方、給湯設定温度以上の温水が蓄熱槽に貯留されていない場合は、給湯設定温度より低い温水が蓄熱槽から給湯接続ユニットを介してそのまま給湯器に供給され、給湯器が加熱することによって、給湯設定温度の温水が供給されるようになっている。
【０００６】
ところで、こういった太陽熱等の補助熱源を利用した給湯システムは、上述したように、給湯器のみを使用する場合に比べて省エネルギ効果が得られることを期待して設置するものであるので、実際、どの程度省エネルギ効果が得られているのかを把握する指針として、従来は、蓄熱槽内の貯湯温度を測定することによって、図５に示すように、専用のモニタに湯温と残湯量が複数のＬＥＤ７０を用いて簡単に表示されていた。
【０００７】
しかしながら、上述したように、ＬＥＤ７０によって簡単に表示された湯温と残湯量を見ただけでは、実際にどの程度省エネルギ効果が得られているのかを、ユーザが的確に把握することは難しく、省エネルギ効果を期待して、補助熱源を利用した給湯システムを設置したユーザに満足感を与えることができていないのが現状である。
【０００８】
そこで、この発明の課題は、補助熱源を利用した給湯システムにおいて、補助熱源がどの程度貢献しているのかを、的確に把握することのできる給湯システムの運転状態表示装置を提供することにある。
【０００９】
【課題を解決するための手段及びその効果】
上記の課題を解決するため、請求項１にかかる発明は、補助熱源によって生成され、蓄熱槽に貯留された温水を、上水と混合可能な給湯接続ユニットを介して、給湯器に送出するようにした給湯システムの運転状態表示装置であって、前記給湯システムの運転状態を表示する表示手段と、上水の温度を検出する上水温度検出手段と、前記給湯接続ユニットから送出される温水の温度を検出する温水温度検出手段と、前記給湯器及び前記給湯接続ユニットに対して設定された給湯設定温度、前記上水温度検出手段によって検出された上水温度及び前記温水温度検出手段によって検出された温水温度に基づいて、前記補助熱源によって生成された温水による設定温度到達率を算出し、算出された設定温度到達率を所定の表示形式で前記表示手段に表示させる表示制御手段とを備えた給湯システムの運転状態表示装置を提供するものである。
【００１０】
以上のように、この運転状態表示装置では、補助熱源によって生成された温水による設定温度到達率、言い換えれば、補助熱源の利用率を算出し、これを所定の表示形式で表示手段に表示させるようにしているので、蓄熱槽内の湯温と残湯量を単に表示している従来に比べて、補助熱源の貢献度を的確に把握することができる。
【００１１】
この設定温度到達率は、実際に、給湯を行っているときの状態を示す値であるので、給湯を行っていないときには表示する必要がない。従って、請求項２にかかる発明の運転状態表示装置のように、前記給湯器の運転スイッチがＯＮされているか否かに拘わらず、給湯を開始した時点で、前記表示制御手段が、前記設定温度到達率を前記表示手段に表示させるようにしておけばよい。
【００１２】
また、上記の課題を解決するため、請求項３にかかる発明は、補助熱源によって生成され、蓄熱槽に貯留された温水を、上水と混合可能な給湯接続ユニットを介して、給湯器に送出するようにした給湯システムの運転状態表示装置であって、前記給湯システムの運転状態を表示する表示手段と、上水の温度を検出する上水温度検出手段と、前記蓄熱槽内の貯湯温度を検出する貯湯温度検出手段と、前記給湯器及び前記給湯接続ユニットに対して設定された給湯設定温度、前記上水温度検出手段によって検出された上水温度及び前記貯湯温度検出手段によって検出された貯湯温度に基づいて、前記給湯設定温度に対する前記蓄熱槽内に貯留された温水の沸上り率を算出し、算出された沸上り率を所定の表示形式で前記表示手段に表示させる表示制御手段とを備えた給湯システムの運転状態表示装置を提供するものである。
【００１３】
以上のように、この運転状態表示装置では、給湯設定温度に対する蓄熱槽内に貯留された温水の沸上り率を算出し、これを所定の表示形式で表示手段に表示させるようにしているので、その時点における蓄熱状態では、給湯設定温度の温水を供給するのに、蓄熱槽に貯留された温水がどの程度利用されるのかを的確に把握することができる。
【００１４】
また、沸上り率が１００％になるように、給湯設定温度を変更することによって、沸上り温度、即ち、貯湯温度が何度であるのかを確認することができる。これによって、貯湯温度が給湯設定温度に比べて僅かに低いような場合には、あえて給湯器を使用しなくても、問題なく給湯を行うことができるということまでも知ることが可能となる。
【００１５】
この沸上り率は、実際に、給湯を行う前の状態を示す値であるので、給湯を行っているときには表示する必要がない。従って、請求項４にかかる発明の運転状態表示装置のように、給湯を行っていないときに、前記表示制御手段が、前記沸上り率を前記表示手段に表示させるようにしておけばよい。
【００１６】
また、請求項５に係る発明の運転状態表示装置のように、前記給湯システムが前記給湯器を使用せずに給湯を行っているときは、前記表示制御手段が、その旨を所定の表示形式で前記表示手段に表示させるようにしておくと、補助熱源によって生成された温水のみを使用して給湯を行っていることを、即座に把握することができる。
【００１７】
また、請求項６に係る発明の運転状態表示装置のように、前記給湯設定温度が所定温度以上に設定されているときは、前記表示制御手段が、給湯温度が高温である旨を所定の表示形式で前記表示手段に表示させるようにしておくと、やけど等の危険を未然に回避することができる。特に、給湯器の運転スイッチがＯＮされていない状態では、給湯設定温度が全く表示されないので、効果的である。
【００１８】
従って、請求項７に係る発明の運転状態表示装置のように、前記給湯器の運転スイッチがＯＮされていない状態で、給湯を開始したときは、前記表示制御手段が、その時点で設定されている給湯設定温度を前記表示手段に表示させるようにしておくことが望ましい。
【００１９】
また、請求項８に係る発明の運転状態表示装置のように、給湯流量を検出する流量検出手段を備えており、前記表示制御手段が、前記上水温度検出手段によって検出された上水温度、前記温水温度検出手段によって検出された温水温度及び前記流量検出手段によって検出された給湯流量に基づいて、前記蓄熱槽に貯留された温水の利用熱量を算出すると共にこれを一定期間積算し、この積算利用熱量を前記表示手段に表示させるようにしたものにあっては、補助熱源の貢献度をさらに把握しやすくなるという効果が得られる。
【００２０】
特に、請求項９に係る発明の運転状態表示装置のように、給湯流量を検出する流量検出手段を備えており、前記表示制御手段は、前記給湯器が単位熱量当りに消費する燃料単価を記憶する記憶部を備えており、前記表示制御手段は、前記上水温度検出手段によって検出された上水温度、前記温水温度検出手段によって検出された温水温度及び前記流量検出手段によって検出された給湯流量に基づいて、前記蓄熱槽に貯留された温水の利用熱量を算出すると共にこれを一定期間積算し、この積算利用熱量と、前記記憶部に記憶されている燃料単価とに基づいて、前記蓄熱槽に貯留された温水を利用することによって得られた省エネルギ料金を算出し、これを前記表示手段に表示させるようにしておくと、補助熱源の貢献度を感覚的に把握することができる。
【００２１】
また、請求項１０に係る発明の運転状態表示装置のように、前記表示手段として、前記給湯器を遠隔操作する操作リモコンの表示部を使用したものにあっては、運転状態表示装置専用の表示手段を個別に設ける必要がないので、設置スペースやコスト面で有利であり、情報の集約化を図ることができるので、効率よく運転状態を表示することが可能となる。
【００２２】
特に、操作リモコンの表示部を表示手段として使用する場合は、請求項１１に係る発明の運転状態表示装置のように、前記表示制御手段が、前記補助熱源を利用可能な給湯システムである旨を、所定の表示形式で前記表示手段に表示させるようにしておくことが望ましい。
【００２３】
【発明の実施の形態】
以下、実施の形態について図面を参照して説明する。図１は、補助熱源として太陽熱を利用した給湯システムの運転状態表示装置１の概略構成を示している。この給湯システムは、同図に示すように、太陽熱利用温水器４０と給湯器６０とが給湯接続ユニット５０を介して接続されたものであり、太陽熱利用温水器４０によって生成された温水が給湯接続ユニット５０を介して給湯器６０に送出されるようになっている。
【００２４】
前記太陽熱利用温水器４０は、ソーラー熱交換器４１と密閉式の蓄熱槽４４とを備えており、蓄熱槽４４には、その下端部に上水を供給するための給水管４５が接続されていると共に、上端部には貯留された温水を給湯接続ユニット５０に送出するための温水供給管４６が接続されている。
【００２５】
前記ソーラー熱交換器４１には、その入口側と出口側とを接続するソーラー配管４２によって熱媒体の循環経路が形成されており、このソーラー配管４２は、部分的に蓄熱槽４４内に導入された熱交換部４３を有している。従って、ソーラー熱交換器４１によって加熱された熱媒体は、ソーラー配管４２を通って蓄熱槽４４内に導かれ、熱交換部４３で蓄熱槽４４内の水と熱交換を行うことで、蓄熱槽４４内に温水が生成されるようになっている。
【００２６】
前記給湯接続ユニット５０は、同図に示すように、給水管５２を介して供給される上水と、蓄熱槽４４から温水供給管４６を介して供給される温水とを、必要に応じて混合する混合調節弁５１が配設されており、蓄熱槽４４から送出された温水は、そのまま又は上水と適宜混合された状態で混合調節弁５１に接続された温水配管５３を介して給湯器６０に送出され、給湯器６０の熱交換器６１を通って給湯されるようになっている。なお、温水供給管４６には、電磁弁５４が設けられており、この電磁弁５４を閉じることによって、蓄熱槽４４からの温水の供給を遮断し、給水管５２を介して供給される上水のみを給湯器６０に供給することができるようになっている。
【００２７】
以上のように、この給湯システムでは、太陽熱利用温水器４０によって生成された温水を給湯器６０に供給するようにしているので、蓄熱槽４４に貯留された温水が給湯器６０の給湯設定温度以上の場合は、給湯器６０によって加熱する必要がなく、また、蓄熱槽４４に貯留された温水が給湯設定温度以下の場合であっても上水温度以上であるので、給湯設定温度になるように、給湯器６０が補助的に加熱すればよい。
【００２８】
前記運転状態表示装置１は、図１に示すように、上述した給湯システムの運転状態の表示動作を制御する表示制御手段１０と、給湯接続ユニット５０内において温水配管５３に設置された、給湯接続ユニット５０から送出される温水の温度を検出するための温水温度センサ２１と、給湯接続ユニット５０内において給水管５２に設置された、上水温度を検出するための上水温度センサ２２と、蓄熱槽４４の上部に設置された蓄熱槽４４内の貯湯温度を検出する貯湯温度センサ２３と、給湯システムの運転状態を表示する表示手段とを備えており、表示手段は、給湯器６０を遠隔操作するための操作リモコン３０の表示部を共用している。
【００２９】
前記表示制御手段は、シリアルインターフェースを介して相互に通信可能な給湯器６０のコントローラ１０ａ、給湯接続ユニット５０のコントローラ１０ｂ及び操作リモコン３０のコントローラ１０ｃによって実現されており、これらのコントローラ１０ａ、１０ｂ、１０ｃが相互に連携をとりながら、給湯システムの運転状態の表示動作を統括的に制御している。
【００３０】
前記給湯接続ユニット５０のコントローラ１０ｂには、温水温度センサ２１、上水温度センサ２２及び貯湯温度センサ２３からそれぞれ温度検出信号が入力されるようになっており、これらの温度検出信号と、操作リモコン３０によって設定され、コントローラ１０ａを介して取得した給湯設定温度とから、数１及び数２に示す演算式に従って、コントローラ１０ｂが「設定温度到達率」及び「沸上り率」を算出するようになっている。
【００３１】
【数１】
0003627681.tif 000002
【００３２】
【数２】
0003627681.tif 000003
【００３３】
前記「設定温度到達率」は、実際に給湯を行っているときの状態を示す値であり、給湯器６０の運転スイッチをＯＮした状態で給湯を行っているときは、給湯されている給湯設定温度の温水を生成するために、太陽熱利用温水器４０によって生成された温水がどの程度利用されているのかを示し、給湯器６０の運転スイッチがＯＮされていない状態で給湯を行っているときは、文字通り、実際に給湯されている温水の温度が、給湯設定温度に対してどの程度まで上昇しているのかを示すことになる。
【００３４】
前記「沸上り率」は、給湯を行う前の状態を示す値であり、給湯設定温度で給湯を行うためには、太陽熱利用温水器４０によって生成された温水をどの程度利用することができるのかを示すことになる。
【００３５】
また、給湯器６０のコントローラ１０ａは、給湯器６０全体を制御するために使用されている運転スイッチ信号、バーナー燃焼信号、最低作動水量以上の水流を検知してＯＮする水流スイッチ信号及び給湯設定温度等に基づいて給湯システム全体の運転状態を監視し、図４に示すように、各運転状態に応じて、太陽熱利用温水器４０が利用可能な給湯システムである旨を示す太陽マークＳ、給湯接続ユニット５０のコントローラ１０ｂによって算出された「設定温度到達率」や「沸上り率」を示すバー表示Ｂ、給湯設定温度が所定温度以上に設定されている場合に給湯温度が高温である旨を示す「高温」表示Ｈ、太陽熱利用温水器４０によって生成された温水のみによって給湯が行われている旨を示す太陽マークＳの反転表示等の各種表示を適宜組み合わせて所定の表示タイミングで操作リモコン３０の表示部に表示させるようになっている。なお、「設定温度到達率」や「沸上り率」を示すバー表示Ｂは、１００％、７５％、５０％、２５％、０％の５段階で表示するようになっており、算出された「設定温度到達率」や「沸上り率」が上述した５段階のうち最も近い段階で表示される。
【００３６】
前記操作リモコン３０は、図２に示すように、給湯器６０の運転スイッチ３１と、給湯設定温度や上述した給湯システムの各種運転状態を示す情報を表示する表示部３２とを備えており、運転スイッチ３１をＯＮしたときには、操作リモコン３０の本来的な表示機能として、給湯設定温度が表示部３２に表示されるようになっている。
【００３７】
以上のように構成された運転状態表示装置１の表示動作及び表示パターンについて、図３に示すフローチャート及び図４に示す表示パターン図を参照しながら、以下に説明する。まず、図３に示すように、給湯器６０の運転スイッチ３１がＯＮされているか否かを判断し（ステップＳ１）、運転スイッチ３１がＯＮされている場合は、続いて、水流スイッチがＯＮされているか否か、即ち、給湯を行っているか否かを判断する（ステップＳ２）。ここで、水流スイッチがＯＮされている場合は、続いて、給湯設定温度が所定温度以上（例えば、６０℃以上）に設定されているか否かを判断し（ステップＳ３）、給湯設定温度が所定温度以上に設定されていない場合は、給湯器６０のバーナーが燃焼しているか否かを判断する（ステップＳ４）。
【００３８】
ステップＳ４において、給湯器６０のバーナーが燃焼している場合は、設定温度到達率が１００％未満であるので、図４（ａ）、（ｂ）に示すように、そのときの「設定温度到達率」をバー表示Ｂで表示すると共に太陽マークＳを表示し、バーナーが燃焼していない場合は、「設定温度到達率」が１００％であるので、同図（ｃ）に示すように、これをバー表示Ｂで表示すると共に太陽マークＳを反転表示する。
【００３９】
ステップＳ３において、給湯設定温度が所定温度以上に設定されている場合は、続いて、給湯器６０のバーナーが燃焼しているか否かを判断する（ステップＳ５）。ここで、給湯器６０のバーナーが燃焼している場合は、同図（ｄ）に示すように、「設定温度到達率」のバー表示Ｂに代えて「高温」表示Ｈを表示すると共に太陽マークＳを表示し、バーナーが燃焼していない場合は、同図（ｅ）に示すように、「設定温度到達率」のバー表示Ｂに代えて「高温」表示Ｈを表示すると共に太陽マークＳを反転表示する。
【００４０】
ステップＳ２において、水流スイッチがＯＮされていない場合は、続いて、給湯設定温度が所定温度以上に設定されているか否かを判断する（ステップＳ６）。ここで、給湯設定温度が所定温度以上に設定されている場合は、同図（ｄ）に示すように、「高温」表示Ｈを表示すると共に太陽マークＳを表示し、給湯設定温度が所定温度以上に設定されていない場合は、同図（ａ）、（ｂ）に示すように、その時点における「沸上り率」をバー表示Ｂで表示すると共に太陽マークＳを表示する。
【００４１】
ステップＳ１において、運転スイッチ３１がＯＮされていない場合は、続いて、水流スイッチがＯＮされているか否かを判断する（ステップＳ７）。ここで、水流スイッチがＯＮされている場合は、太陽熱利用温水器４０によって生成された温水のみで給湯が行われていることになるので、同図（ｆ）、（ｇ）に示すように、「設定温度到達率」をバー表示Ｂで表示すると共に太陽マークＳを反転表示し、水流スイッチがＯＮされていない場合は、同図（ｈ）に示すように、表示を全く行わない。
【００４２】
なお、給湯器６０の運転スイッチ３１がＯＮされている場合は、同図（ａ）〜（ｅ）に示すように、操作リモコン３０の本来の表示機能によって、時刻と給湯設定温度が表示されている。
【００４３】
以上のように、この運転状態表示装置１では、給湯器６０の運転スイッチ３１がＯＮされた状態で給湯を行っているときは、「設定温度到達率」がバー表示されるので、このバー表示Ｂによって、太陽熱利用温水器４０によって生成された温水がどの程度利用されているのかを的確に把握することができる。
【００４４】
また、給湯器６０の運転スイッチがＯＮされた状態であっても、バーナーが燃焼していないときは、太陽マークＳを反転して表示するようにしたので、この表示によって、太陽熱利用温水器４０によって生成された温水のみで給湯が行われていることを即座に把握することができる。
【００４５】
また、この運転状態表示装置１では、給湯器６０の運転スイッチがＯＮされているだけで、実際に給湯を行っていない状態では、「設定温度到達率」に代えて「沸上り率」をバー表示するようにしたので、このバー表示Ｂによって、その時点における蓄熱状態では、給湯設定温度で給湯を行うのに、蓄熱槽４４に貯留された温水がどの程度利用されるのかを的確に把握することができる。
【００４６】
また、操作リモコン３０を操作して、「沸上り率」が１００％になるように給湯設定温度を変更すると、その給湯設定温度が蓄熱槽４４内の貯湯温度に一致することになるので、沸上り温度、即ち、貯湯温度が何度であるのかを確認することも可能であり、これによって、貯湯温度が給湯設定温度に比べて僅かに低いような場合には、あえて給湯器６０を使用せずに給湯を行っても、特に支障がないことを知ることができる。
【００４７】
また、この運転状態表示装置１では、給湯設定温度が所定温度以上に設定されているときは、安全を考慮して、上述した「設定温度到達率」や「沸上り率」のバー表示Ｂに代えて、「高温」表示Ｈを表示するようにしたので、ユーザーに対して注意を喚起することができ、特に、給湯器６０の運転スイッチがＯＮされていれば、給湯を行う前の段階で、既に「高温」表示Ｈが行われているので、やけど等の危険を未然に回避することができる。
【００４８】
また、操作リモコン３０の本来的な表示機能では、給湯器６０の運転スイッチ３１をＯＮしない限り、表示部３２には何も表示されないが、この運転状態表示装置１では、給湯器６０の運転スイッチ３１がＯＮされていない状態で給湯を行った場合、即ち、太陽熱利用温水器４０によって生成された温水のみを使用して給湯を行う場合には、「設定温度到達率」のバー表示Ｂ、太陽マークＳの反転表示及び給湯設定温度を表示させるようにしているので、これらの表示によって、太陽熱利用温水器４０によって生成された温水のみを使用して給湯を行っていることを把握することができると共に、給湯設定温度が何度で、実際の給湯温度が給湯設定温度に対してどの程度まで上昇しているのかを、感覚的に把握することができる。
【００４９】
また、この運転状態表示装置１では、太陽熱利用温水器４０が利用可能な給湯システムである旨を太陽マークＳを表示することによって示しているので、この太陽マークＳが表示されていないときは、給湯接続ユニット５０のコントローラ１０ｂと給湯器６０のコントローラ１０ａとが適正に通信可能に接続されていない等の異常があることを即座に把握することができる。
【００５０】
また、この運転状態表示装置１では、表示手段として、給湯器６０に標準搭載されている操作リモコン３０の表示部３２を使用することで、給湯器６０に関する情報と、給湯システム全体の運転状態に関する情報とを、共通の表示部に表示するようにしたので、運転状態表示装置１について専用の表示手段を別途設ける必要がなく、設置スペースやコスト面で有利であると共に、情報の集約化を図ることができるので、種々の情報を効率よく表示することが可能となる。
【００５１】
なお、上述した実施形態では、主として、給湯を行っている時点及び給湯を行う前の時点における瞬時情報のみを表示しているが、例えば、給湯流量を検出する流量センサを別途設け、表示制御手段が、温水温度センサ２１によって検出された温水温度、上水温度センサ２２によって検出された上水温度及び流量センサによって検出された給湯流量から数３に示す演算式に従って、蓄熱槽４４に貯留された温水の単位時間当りの利用熱量を算出すると共にこれを一定期間積算し、この積算利用熱量を表示させたり、さらに、表示制御手段に、給湯器６０が単位熱量当りに消費するガスまたはオイル等の燃料単価を記憶させておき、得られた積算利用熱量と燃料単価とに基づいて、一定期間の間に蓄熱槽４４に貯留された温水を利用することによって得られた省エネルギ料金を算出し、これを表示させるようにしておくと、補助熱源として使用している太陽熱利用温水器４０の貢献度を感覚的に把握することができる。
【００５２】
【数３】
0003627681.tif 000004
【００５３】
また、上述した実施形態では、「設定温度到達率」や「沸上り率」を、段階的なバー表示Ｂによって示しているが、これに限定されるものではなく、連続的なバー表示や、円グラフ、太陽マークの数、デジタル値といった種々の表示形式を採用することができる。
【００５４】
また、上述した実施形態では、太陽熱利用温水器４０によって生成された温水のみによって給湯を行っている状態を、太陽マークＳの反転表示によって示すようにしているが、これに限定されるものではなく、例えば、太陽マークＳを点滅させる等、種々の表示形式を採用することができる。
【００５５】
また、上述した実施形態では、給湯設定温度が所定温度以上に設定されている場合は、「設定温度到達率」や「沸上り率」のバー表示Ｂに代えて、「高温」表示Ｈを行うようにしているが、これに限定されるものではなく、例えば、数秒間「高温」表示Ｈを行った後、「設定温度到達率」や「沸上り率」のバー表示Ｂに切り替えたり、表示部３２の表示スペースに余裕がある場合は、「設定温度到達率」や「沸上り率」のバー表示Ｂと共に「高温」表示Ｈを行うことも可能である。
【００５６】
また、上述した実施形態では、給湯器６０の運転スイッチ３１がＯＮされている場合に限り、「高温」表示Ｈを行っているが、給湯設定温度が所定温度以上に設定されている場合は、給湯器６０の運転スイッチがＯＮされているか否かに拘わらず、常に、「高温」表示Ｈを行うようにしてもよい。
【００５７】
また、上述した実施形態では、種々の運転状態表示を、給湯器６０の操作リモコン３０の表示部３２に表示させるようにしているが、これに限定されるものではなく、専用の表示手段を別途設け、これに表示させるようにしてもよい。
【００５８】
また、上述した実施形態では、表示制御手段１０を、給湯器６０のコントローラ１０ａ、給湯接続ユニット５０のコントローラ１０ｂ及び操作リモコン３０のコントローラ１０ｃによって実現しているが、これに限定されるものではなく、専用のコントローラを別途設けることも可能である。
【００５９】
また、上述した実施形態は、太陽熱利用温水器を補助熱源として使用した給湯システムの運転状態表示装置であるが、給湯システムにおける補助熱源は、こういった太陽熱利用温水器に限定されるものではなく、例えば、コージェネレーションシステムにおけるガスエンジンやガスタービンの廃熱を補助熱源として使用した給湯システムのように、種々の補助熱源を使用した給湯システムについて、本発明の運転状態表示装置を適用することができることはいうまでもない。
【図面の簡単な説明】
【図１】この発明にかかる給湯システムの運転状態表示装置の一実施形態を示す概略構成図である。
【図２】同上の運転状態表示装置における表示手段である操作リモコンを示す正面図である。
【図３】同上の運転状態表示装置の表示動作を示すフローチャートである。
【図４】（ａ）〜（ｈ）は同上の運転状態表示装置によって表示される種々の表示パターンを示すパターン図である。
【図５】従来のモニタ表示を示す図である。
【符号の説明】
１  運転状態表示装置
１０  表示制御手段
１０ａ、１０ｂ、１０ｃ  コントローラ
２１  温水温度センサ（温水温度検出手段）
２２  上水温度センサ（上水温度検出手段）
２３  貯湯温度センサ（貯湯温度検出手段）
３０  操作リモコン（表示手段）
３１  運転スイッチ
３２  表示部
４０  太陽熱利用温水器
４４  蓄熱槽
５０  給湯接続ユニット
６０  給湯器
Ｂ  バー表示
Ｈ  「高温」表示
Ｓ  太陽マーク表示
【図１】
0003627681.tif 000005
【図２】
0003627681.tif 000006
【図３】
0003627681.tif 000007
【図４】
0003627681.tif 000008
【図５】
0003627681.tif 000009